(57)【要約】【課題】機械的な寸法精度のばらつきに左右されることなく、読み取り精度の向上を図ること。【解決手段】透過用光源部３２１から照射された光を撮像素子によって受光することで原稿を読み取るスキャナ装置において、透過用光源部３２１は、任意の面積の発光面を有する導光板６０２を介してＬＥＤ６０１によって発光された光を撮像素子へ照射することで、蛍光管と比較して照射面積の狭いＬＥＤ６０１を用いた場合にも、透過用光源部３２１が原稿を照射する照射面積を発光面の面積に相当する照射面積とし、撮像素子によって受光される光量が原稿の読み取りに十分な光量となる範囲を広くするようにした。【選択図】図６
2007318409.tif 000002
【特許請求の範囲】
【請求項１】
光源から照射された光を撮像素子によって受光することで原稿を読み取る画像読取装置
において、
前記光源は、任意の面積の発光面を有する導光板を介してＬＥＤによって発光された光
を前記撮像素子へ照射することを特徴とする画像読取装置。
【請求項２】
前記光源は、前記導光板に対して前記撮像素子側に設けられて、原稿の読み取りに用い
る光の指向性を強めるプリズムシートおよびプリズムシートによって分光された光を拡散
させる拡散シートを順次介して、前記ＬＥＤによって発光された光を前記撮像素子へ照射
することを特徴とする請求項１に記載の画像読取装置。
【請求項３】
前記光源は、前記導光板に対して前記撮像素子とは反対側に設けられて、前記導光板か
ら出射された光を前記導光板へ反射する反射板を備えることを特徴とする請求項２に記載
の画像読取装置。
【請求項４】
前記撮像素子を所定方向に往復移動させる撮像素子移動機構と、
前記撮像素子移動機構による往復移動に連動させて前記光源を前記所定方向に往復移動
させる光源移動機構と、
を備えることを特徴とする請求項１〜３のいずれか一つに記載の画像読取装置。
【請求項５】
前記光源移動機構は、前記所定方向に延出するように設けられたガイド部材と、当該ガ
イド部材に沿って前記光源を往復移動させる駆動機構と、を備え、
前記光源は、前記ガイド部材に対して変位可能に前記ガイド部材を保持する保持部と、
前記光源の一部を前記駆動機構に締結させる締結部と、を備えることを特徴とする請求項
４に記載の画像読取装置。
【請求項６】
請求項１〜５のいずれか一つに記載の画像読取装置と、
前記画像読取装置が備える撮像素子に入射された光の強弱に応じた画像を被記録媒体上
に形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿を間にして撮像素子とは反対側に配置された光源から照射され、フィルムな
どの光透過型の原稿（以下、「透過型原稿」という）を透過してから撮像素子に結像され
る光の強弱を検出することによって、透過型原稿の画像を光学的に読み取る読取機構を備
えた画像読取装置がある。
【０００３】
このような画像読取装置には、光源および撮像素子が副走査方向に沿って往復移動可能
に設けられており、光源および撮像素子をそれぞれ独立した駆動機構を用いて移動させる
ようにしたものがある。また、光源および撮像素子が副走査方向に沿って往復移動可能と
された画像読取装置には、光源と撮像素子とが分離可能に設けられたものがある。この画
像読取装置では、たとえば、画像読取装置の蓋部材などに光源を設け、原稿のセットに際
しての蓋部材の開閉にともなって、光源と撮像素子とを分離／連結させる。
【０００４】
光源と撮像素子とが分離可能に設けられた画像読取装置では、光源と撮像素子とを再度
連結した場合に、光源と撮像素子との副走査方向における相対的な位置が原稿の読み取り
に適した位置からずれてしまうことがあるため、原稿の読み取り指示があった場合には、
原稿の読み取り動作に先立って、光源と撮像素子との副走査方向における相対的な位置を
補正するようにしている。
【０００５】
従来では、たとえば、スキャナ本体内の第１本体側キャリッジに、その位置を表示する
位置表示手段を搭載する一方で、透過ユニット内に、モータで駆動するユニット側キャリ
ッジを設け、そのユニット側キャリッジにユニット側光源を搭載するとともに、位置検出
センサを搭載し、透過型原稿の読取時、位置検出センサで位置表示手段を検出しないとき
、制御回路でモータを適宜駆動し、ユニット側キャリッジを位置表示手段を検出する位置
まで移動して第１本体側キャリッジの位置に合わせるようにしたスキャナ装置がある（た
とえば、下記特許文献１参照。）。
【０００６】
【特許文献１】特開平７−２３１３７８号公報
【発明の開示】
【発明が解決しようとする課題】
【０００７】
しかしながら、上述した従来の技術において光源に蛍光管を用いた場合、光源を点灯し
てから読み取りが可能な光量に安定するまでに時間がかかる、画像データにノイズが発生
し易いという問題がある。
【０００８】
一方、上述した従来の技術において光源にＬＥＤを用いた場合、点灯直後から原稿画像
の読み取りが可能になり、蛍光管を用いた場合と比較して画像データにおけるノイズの発
生を低減することができるが、ＬＥＤ１個当たりの照射面積は限られているため、光源と
撮像素子との位置関係によっては、撮像素子によって受光される光量が原稿の読み取りに
十分な光量未満となって、原稿の読み取り精度が低下するという問題がある。
【０００９】
なお、光源と撮像素子との位置関係は、たとえば、部品ごとの寸法のばらつき、組み立
てられた部品間の寸法のばらつき、あるいは原稿の読み取りに際して各部を駆動すること
による部品間の寸法のばらつき（バックラッシなど）などの機械的な寸法精度のばらつき
に左右される。
【課題を解決するための手段】
【００１０】
この発明にかかる画像読取装置は、光源から照射された光を撮像素子によって受光する
ことで原稿を読み取る画像読取装置において、前記光源は、任意の面積の発光面を有する
導光板を介してＬＥＤによって発光された光を前記撮像素子へ照射することを特徴とする
。
【００１１】
したがって、画像読取装置においては、蛍光管と比較して照射面積の狭いＬＥＤを用い
た場合にも、光源が原稿を照射する照射面積を発光面の面積に相当する照射面積とし、撮
像素子によって受光される光量が原稿の読み取りに十分な光量となる範囲を広くすること
ができる。
【００１２】
これによって画像読取装置は、部品ごとの寸法のばらつきや組み立てられた部品間の寸
法のばらつき、あるいは原稿の読み取りに際して各部を駆動することによる部品間の寸法
のばらつき（バックラッシなど）などの各種の機械的な寸法精度のばらつきに左右される
ことなく、読み取り精度の向上を図ることができる。
【００１３】
また、画像読取装置においては、光源の点灯直後から原稿の読み取りが可能になり、Ｌ
ＥＤに代えて蛍光管を用いた場合と比較して照射光量の安定化を図ることができる。これ
によって、画像読取装置は、原稿の読み取りを迅速に開始するとともに、読み取り精度の
向上を図ることができる。そして、これによって利用者は、原稿の画像を高精度に再現し
た画像データを得ることができる。
【００１４】
また、画像読取装置においては、ＬＥＤを用いることによってＬＥＤに代えて蛍光管を
用いた場合と比較して、光源の小型化を図るとともに消費電力を抑えることができる。
【００１５】
そして、これによって利用者は、ランニングコストの低い小型の画像読取装置を用いて
、原稿の画像を高精度に再現した画像データを得ることができる。
【００１６】
また、この発明にかかる画像読取装置における前記光源は、前記導光板に対して前記撮
像素子側に設けられて、原稿の読み取りに用いる光の指向性を強めるプリズムシートおよ
びプリズムシートによって分光された光を拡散させる拡散シートを順次介して、前記ＬＥ
Ｄによって発光された光を前記撮像素子へ照射することを特徴とする。
【００１７】
したがって、画像読取装置においては、光源を大型化することなくＬＥＤによって発光
された光を拡散させ、光源による照射面積を広くすることができる。これによって画像読
取装置は、画像読取装置の小型化および読み取り精度の向上を図ることができる。そして
、これによって利用者は、小型の画像読取装置を用いて、原稿の画像を高精度に再現した
画像データを得ることができる。
【００１８】
また、この発明にかかる画像読取装置における前記光源は、前記導光板に対して前記撮
像素子とは反対側に設けられて、前記導光板から出射された光を前記導光板へ反射する反
射板を備えることを特徴とする。
【００１９】
したがって、画像読取装置においては、ＬＥＤによって発光された光を撮像素子側に効
率よく照射することができる。これによって画像読取装置は、画像読取装置の小型化およ
び発光輝度の向上による読み取り精度の向上を図ることができる。そして、これによって
利用者は、小型の画像読取装置を用いて、原稿の画像を高精度に再現した画像データを得
ることができる。
【００２０】
また、この発明にかかる画像読取装置は、前記撮像素子を所定方向に往復移動させる撮
像素子移動機構と、前記撮像素子移動機構による往復移動に連動させて前記光源を前記所
定方向に往復移動させる光源移動機構と、を備えることを特徴とする。
【００２１】
したがって、画像読取装置においては、撮像素子と光源とを連動させることで、撮像素
子と光源との位置関係を一定に維持した状態で原稿を読み取ることができる。これによっ
て画像読取装置は、読み取り精度の一層の向上を図ることができる。そして、これによっ
て利用者は、原稿の画像を一層高精度に再現した画像データを得ることができる。
【００２２】
また、この発明にかかる画像読取装置における前記光源移動機構は、前記所定方向に延
出するように設けられたガイド部材と、当該ガイド部材に沿って前記光源を往復移動させ
る駆動機構と、を備え、前記光源は、前記ガイド部材に対して変位可能に前記ガイド部材
を保持する保持部と、前記光源の一部を前記駆動機構に締結させる締結部と、を備えるこ
とを特徴とする。
【００２３】
したがって、画像読取装置においては、締結部を光源に一体化することで光源の往復移
動に関わる機構の大型化を抑えつつ、光源が往復移動する位置をガイド部材によって案内
することで光源を所定方向に沿って安定して往復移動させることができる。これによって
画像読取装置は、画像読取装置の大型化を抑えつつ、読み取り精度の一層の向上を図るこ
とができる。そして、これによって利用者は、大型化を抑えた画像読取装置を用いて、原
稿の画像を一層高精度に再現した画像データを得ることができる。
【００２４】
また、この発明にかかる複合機は、上述した画像読取装置と、前記画像読取装置が備え
る撮像素子に入射された光の強弱に応じた画像を被記録媒体上に形成する画像形成装置と
、を備えることを特徴とする。
【００２５】
したがって、複合機においては、上述した画像読取装置によって読み取られた画像デー
タを用いることで、各種の機械的な寸法のばらつきに左右されることなく、原稿を精度よ
く再現した画像を被記録媒体に形成することができる。これによって複合機は、消費電力
の増加および複合機の大型化を抑えながら、原稿を精度よく再現した画像を被記録媒体に
形成することができる。また、これによって利用者は、消費電力を抑制した小型の複合機
を使用して、高精度な画像データを得ることができる。
【発明を実施するための最良の形態】
【００２６】
（実施の形態１）
以下に添付図面を参照して、この発明にかかる画像読取装置の好適な実施の形態１を詳
細に説明する。この実施の形態１は、この発明にかかる画像読取装置を実現するスキャナ
装置への適用例を示す。
【００２７】
図１は、実施の形態１にかかるスキャナ装置の外観を示す斜視図である。はじめに、図
１を用いて、実施の形態１にかかるスキャナ装置の外観について説明する。図１に示すよ
うに、スキャナ装置１００は、本体ユニット１１０と、透過型原稿用光源ユニット（以下
、「ＴＰＵユニット」という）１２０と、を備えている。
【００２８】
ＴＰＵユニット１２０は、本体ユニット１１０に対して対向配置されており、ヒンジ部
（図３参照）を介して、本体ユニット１１０に連結されている。ＴＰＵユニット１２０は
、ヒンジ部を支点にして、図１に示す状態から本体ユニット１１０に対して離反する方向
に回動可能に連結されている。
【００２９】
図２は、実施の形態１にかかるスキャナ装置１００の縦断正面図である。つぎに、図２
を用いて、実施の形態１のスキャナ装置１００の概略構成について説明する。図２に示す
ように、スキャナ装置１００は、本体ユニット１１０の外郭をなす本体ハウジング２１０
と、ＴＰＵユニット１２０の外郭をなすＴＰＵハウジング２３０と、を備えている。
【００３０】
本体ハウジング２１０およびＴＰＵハウジング２３０は、それぞれ、上下方向に分離可
能な２つのパーツを主体として形成されている。格別な符号は省略するが、以降、適宜、
本体ハウジング２１０およびＴＰＵハウジング２３０の上側を構成する部分を、上側本体
ハウジング、上側ＴＰＵハウジングとして説明する。同様に、本体ハウジング２１０およ
びＴＰＵハウジング２３０の下側を構成する部分を、下側本体ハウジング、下側ＴＰＵハ
ウジングとして説明する。
【００３１】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００３２】
この実施の形態１では、開口部２１１および原稿台ガラス２１２によって読取窓が実現
され、本体ハウジング２１０における開口部２１１周辺部によって枠部材が実現されてい
る。原稿台ガラス２１２上には、読み取り対象となる原稿が載置される。
【００３３】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００３４】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが、走査回路基板２１９上にお
いて、主走査方向に沿って直線的に配列されたリニアイメージセンサが、撮像素子２１７
として用いられている。
【００３５】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００３６】
スキャナキャリッジ２２０には、モータ２２２に連結された撮像素子移動機構２２３を
介して、駆動源としてのモータ２２２で発生させた駆動力が伝達される。説明は後述する
が、撮像素子移動機構２２３は、モータ２２２の駆動軸に連結されたギア列や、ギア列を
構成するギアと従動ギア２２４との間に架けられた駆動ベルト２２５などによって構成さ
れている（図３参照）。スキャナキャリッジ２２０は、駆動ベルト２２５に連結されてい
る。
【００３７】
スキャナキャリッジ２２０は、モータ２２２で発生させた駆動力が撮像素子移動機構２
２３を介して伝達されることによって、原稿台ガラス２１２に沿って副走査方向に移動す
る。スキャナキャリッジ２２０は、原稿の読み取りを開始する側の端部位置に設定された
ホームポジションと、原稿を読み取り後ホームポジションに向けて折り返す位置に設定さ
れた折り返しポジションとの間を往復移動する。
【００３８】
上述した光学部材２１４は、スキャナキャリッジ２２０に搭載されている。光学部材２
１４は、スキャナキャリッジ２２０の移動にともなって、原稿台ガラス２１２に沿って副
走査方向に移動する。
【００３９】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００４０】
ＴＰＵハウジング２３０には、光源としての透過用光源部（図３参照）が設けられてい
る。透過用光源部は、写真用フィルムなどのような光透過型の原稿の読み取り動作に際し
て使用され、原稿台ガラス２１２に向けて光を照射する。透過用光源部は、原稿台ガラス
２１２に沿って副走査方向に移動可能に設けられている。
【００４１】
ＴＰＵハウジング２３０には、上述したモータ２２２の駆動力を透過用光源部に伝達す
る光源移動機構としての動力伝達機構（図３参照）が設けられている。詳細な図示および
説明を省略するが、ＴＰＵユニット１２０に設けられた動力伝達機構は、たとえば、撮像
素子移動機構２２３に連結されたプーリ群や駆動ベルト２３３および駆動ベルト２３３が
架けられたギア対などによって構成されている（一部図３参照）。
【００４２】
この実施の形態１において、ＴＰＵハウジング２３０に設けられた動力伝達機構は、保
護マット２３２がＴＰＵハウジング２３０から取り外されている場合にモータ２２２に連
結され、モータ２２２の駆動力を透過用光源部に伝達するように構成されている。これに
より、透過用光源部は、保護マット２３２がＴＰＵハウジング２３０から取り外されてい
る場合に限って、スキャナキャリッジ２２０とともに、モータ２２２の駆動力を受けて副
走査方向に沿って移動する。
【００４３】
透過用光源部は、原稿の照射を開始する側の端部位置に設定されたホームポジションと
、原稿を照射後ホームポジションに向けて折り返す位置に設定された折り返しポジション
との間を往復移動する。
【００４４】
フィルムのような光透過型の原稿（以下、「フィルム」という）の読み取り動作に際し
ては、原稿台ガラス２１２の上、すなわち、本体ユニット１１０とＴＰＵユニット１２０
の間にフィルムフォルダ２４０が設置される。フィルムフォルダ２４０は、原稿台ガラス
２１２上におけるフィルム用の読取位置にフィルムが設置されるように、フィルムの設置
位置を案内するとともに、設置されたフィルムを読取位置に固定する部材である。
【００４５】
図３は、スキャナ装置１００を一部断面して示す斜視図である。図３においては、ＴＰ
Ｕハウジング２３０における上側ＴＰＵハウジングを取り外し、本体ハウジング２１０の
一部を断面した状態が示されている。図３中符号３００は、本体ユニット１１０とＴＰＵ
ユニット１２０とを連結するヒンジ部である。以下に、図３を用いて、モータ２２２の駆
動力が伝達される各部について説明する。
【００４６】
図３に示すように、本体ハウジング２１０に設けられた撮像素子移動機構２２３は、モ
ータ２２２の駆動軸に固定されたギア３０１、ギア３０１に連結されたギア列３０２〜３
０６を含んでいる。ギア３０６の回転軸心となる軸には、上述した駆動ベルト２２５が架
けられたギアが設けられている。
【００４７】
撮像素子移動機構２２３は、モータ２２２において発生された駆動力を、ギア３０１〜
３０６を介して駆動ベルト２２５に伝達することで、駆動ベルト２２５を回転させる。こ
れによって、駆動ベルト２２５に連結されたスキャナキャリッジ２２０を、副走査方向に
沿って移動させることができる。
【００４８】
また、ギア３０６の回転軸心となる軸には、当該軸を回転軸心とするプーリ３０７が設
けられている。プーリ３０７には、プーリ３０７の回転にともなって回転する複数のプー
リ３０８〜３１０を介して、ギア３１１が連結されている。ギア３１１は、本体ハウジン
グ２１０の上面においてＴＰＵユニット１２０側に向けて開口する開口部３１２、３１３
を介してＴＰＵユニット１２０側に設けられたギア３１４と分離可能に噛み合わされる。
【００４９】
ギア３１１は、プーリ３０８〜３１０を介してモータ２２２の駆動力が伝達されること
によって、プーリ３０８〜３１０の軸心方向と平行な軸心回りに回転する。ギア３１４は
、ギア３１１の軸心方向と平行な軸心回りに回転自在に設けられており、ギア３１１の回
転にともなって同方向に回転する。ここに、プーリ３０７〜３１０、ギア３１１、開口部
３１２，３１３およびギア３１４によって連結機構３１５が構成されている。
【００５０】
連結機構３１５の一部を構成するプーリ３０８，３０９は同一軸心回りに回転する。プ
ーリ３０８，３０９は、トルクリミッタ３１６の一部を構成する。トルクリミッタ３１６
は、撮像素子移動機構２２３からプーリ３０７を介して伝達されたトルクが所定より大き
い場合に、所定の大きさ以上のトルクがプーリ３１０を介して動力伝達機構に伝達されな
いように遮断するトルクリミッタ機能を有している。
【００５１】
ここで、所定の大きさのトルクとは、透過用光源部を移動させるために必要なトルクで
ある。トルクリミッタ３１６によって、撮像素子移動機構２２３側から所定の大きさ以上
のトルクが伝達された場合にも、動力伝達機構および透過用光源部の破損を防止すること
ができる。トルクリミッタ３１６において、プーリ３０８はプーリ３０７に連結されてお
り、プーリ３０９はギア３１１と同一軸心回りに回転するプーリ３１０に連結されている
。
【００５２】
ＴＰＵハウジング２３０には、上述した駆動ベルト２３３が架けられたギア対における
一方のギア３１７とギア３１４とを連結するプーリ群３１８が設けられている。ギア対に
おける他方のギア３１９は、駆動ベルト２３３の回転に従動して回転する。ギア３１７と
ギア３１９とは、副走査方向に沿って対向配置されている。
【００５３】
実施の形態１では、駆動ベルト２３３、ギア３１７，３１９によって構成される動力伝
達機構によって光源移動機構が実現されている。また、実施の形態１では、駆動ベルト２
３３およびギア３１７，３１９によって駆動機構が実現されている。
【００５４】
図３中符号３２０は、ギア３１４、ギア３１７、プーリ群３１８を構成するプーリなど
の軸を支持するステイである。ギア３１４は、ステイ３２０に対して接離可能に設けられ
ている（図５および図６参照）。これにより、ギア３１１とギア３１４とを分離可能に連
結させることができる。
【００５５】
また、図３中符号３２１は、上述した透過用光源部を示している。透過用光源部３２１
は、透過用光源部３２１に設けられた固定部３２２において、駆動ベルト２３３に連結さ
れている。これにより、透過用光源部３２１は、駆動ベルト２３３の回転に伴って副走査
方向に沿って移動する。
【００５６】
ＴＰＵハウジング２３０には、駆動ベルト２３３の側方であって、かつ、透過用光源部
３２１の移動軌跡に重複する位置において、副走査方向に沿って延出するガイド部材とし
てのガイドレール３２３が設けられている。ガイドレール３２３には、透過用光源部３２
１において、ガイドレール３２３に対向する位置に設けられた溝３２４が嵌め込まれる。
これによって、透過用光源部３２１を副走査方向に沿って安定して移動させることができ
る。
【００５７】
透過用光源部３２１から照射された光は、ＴＰＵハウジング２３０に設けられた開口部
３２５を介して、原稿台ガラス２１２（図２参照）側に導かれる。開口部３２５は、透過
用光源部３２１によって照射可能な範囲のうち、フィルムの読み取り範囲をカバーするよ
うに設けられている。図３中符号３２６は、透過用光源部３２１において溝３２４とは反
対側の側方に設けられた溝（図６参照）が嵌め込まれるガイド部材である。
【００５８】
図４は連結機構３１５を拡大して示す斜視図（その１）、図５は連結機構３１５を拡大
して示す斜視図（その２）である。つぎに、図４および図５を用いて、連結機構３１５に
ついて説明する。図４は、ギア３１１とギア３１４とが連結された状態を示している。図
５は、ギア３１１とギア３１４とが離間された状態を示している。
【００５９】
図４および図５から分かるように、連結機構３１５におけるギア３１４は、ステイ３２
０から離間している場合にギア３１１に連結され、ステイ３２０近傍に位置している場合
にギア３１１から離間される。
【００６０】
また、図４および図５から分かるように、連結機構３１５におけるギア３１４には、Ｔ
ＰＵユニット１１０に向けて突出するギア歯４０１が設けられている。連結機構３１５に
おけるギア３１１には、ギア歯４０１が噛み合わされる凹部５０１（図５のみに記載）が
形成されている。凹部５０１の間に位置し、凹部５０１を形成するリブ５０２の上部は、
中央部程ギア３１３側へ突出する山形形状とされている。これによって、ギア３１１とギ
ア３１４とがスムーズに噛み合うように、ギア歯４０１を凹部５０１に誘導することがで
きる。
【００６１】
図６は、透過用光源部３２１を示す分解斜視図である。つぎに、図６を用いて、透過用
光源部３２１の構成について説明する。図６に示すように、透過用光源部３２１は、ＬＥ
Ｄ６０１と、ＬＥＤ６０１によって発光された光を伝播させる導光板６０２と、を備えて
いる。導光板６０２によって、ＬＥＤ１個あたりの照射面積よりも広い面積を照射するこ
とができる。なお、図６中、導光板６０２に表記された仮想線は、導光板６０２における
有効発光エリアを示している。
【００６２】
導光板６０２中を伝播された光は、プリズムシート６０３および拡散シート６０４を介
して、支持フレーム６０５に設けられた開口部６０６から、原稿台ガラス２１２に向けて
照射される。プリズムシート６０３は導光板６０２から出射された光の指向性を強め、拡
散シート６０４はプリズムシート６０３から出射された光を拡散させる。プリズムシート
６０３および拡散シート６０４を介することにより、導光板６０２中を伝播された光をよ
り広い面積に照射することができる。
【００６３】
透過用光源部３２１において、導光板６０２を間にして開口部６０６とは反対側には、
導光板６０２中を伝播された光を開口部６０６へ向けて反射させる反射板６０７が設けら
れている。反射板６０７を設けることによって、導光板６０２中を伝播された光を、効率
よく原稿台ガラス２１２側へ照射することができる。上述した固定部３２２は、支持フレ
ーム６０５の側方に設けられており、原稿台ガラス２１２側から駆動ベルト２３３を狭持
するように、上方に向けて開口している。
【００６４】
また、透過用光源部３２１において、支持フレーム６０５の側方には、上述した固定部
３２２が設けられている。固定部３２２は、原稿台ガラス２１２側から駆動ベルト２３３
を狭持するように、上方に向けて開口している。上述した溝３２４は、支持フレーム６０
５において、開口部６０６と固定部３２２との間に設けられている。
【００６５】
また、透過用光源部３２１において、支持フレーム６０５の固定部３２２とは反対側の
側方であって、上述したガイド部材３２６に対向する位置には、ガイド部材３２６に嵌め
込まれる溝６０８が設けられている。
【００６６】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、紙などの光を透過しない原稿（反射型の原稿
）の画像を読み取る指示操作や、フィルムの画像を読み取る指示操作などを受け付ける。
【００６７】
加えて、図示を省略するが、スキャナ装置１００は、パーソナルコンピュータなどの外
部装置との間で通信をおこなう通信Ｉ／Ｆを備えていてもよい。この場合、スキャナ装置
１００は、パーソナルコンピュータにおいて受け付けた指示操作に応じたコマンドを、通
信Ｉ／Ｆを介して受信する。
【００６８】
スキャナ装置１００は、操作パネルを介して受け付けた指示操作や、通信Ｉ／Ｆを介し
て受信したコマンドに応じて、スキャナキャリッジ２２０を移動させたり、反射用光源２
１５や透過用光源部３２１を点灯／消灯させたり、撮像素子２１７に結像された光を光電
変換することによって画像データを生成したりする。この実施の形態１においては、画像
データを生成するために関わる各部および当該各部によっておこなわれる各種処理によっ
て、画像データ生成手段としての機能が実現される。
【００６９】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。この実施の形態１においては、生成された画像データを、外部装置に送信
するために関わる各部および当該各部によっておこなわれる各種処理によって、出力手段
としての機能が実現される。
【００７０】
このような構成を備えたスキャナ装置１００によってフィルムの画像を読み取る場合、
利用者は、原稿台ガラス２１２上にフィルムフォルダ２４０を設置し、フィルムフォルダ
２４０によって案内される所定の位置にフィルムを設置する。また、利用者は、フィルム
の設置に前後して、ＴＰＵハウジング２３０から保護マット２３２を取り外す。
【００７１】
つづいて、図１あるいは図２に示したように、ＴＰＵユニット１２０を本体ユニット１
１０に対向させる。これにより、連結機構３１５によって動力伝達機構と撮像素子移動機
構２２３とが連結される。その後、利用者は、フィルムの画像を読み取る指示操作をおこ
なう。指示操作は、スキャナ装置１００が備える操作パネルを介しておこなってもよいし
、パーソナルコンピュータなどの外部装置においておこなってもよい。
【００７２】
フィルムの画像を読み取る指示操作があった場合、スキャナ装置１００は、モータ２２
２を駆動させ、スキャナキャリッジ２２０および透過用光源部３２１を副走査方向に沿っ
て移動させながら、撮像素子２１７の受光量を検出する。そして、検出された受光量に基
づいて画像データを生成する。
【００７３】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。
【００７４】
なお、スキャナ装置１００は、画像データの生成に先立って、画像データにおける黒色
や白色の基準となる各種基準データを取得し、取得された基準データを用いて画像データ
のシェーディング補正をおこなってもよい。基準データの取得および取得された基準デー
タを用いたシェーディング補正については、公知の技術であるため、ここでは説明を省略
する。また、スキャナ装置１００は、画像データの生成に先立って、透過用光源部３２１
と撮像素子２１７との相対的な位置を補正する補正処理をおこなってもよい。
【００７５】
上述したように、実施の形態１のスキャナ装置１００によれば、蛍光管と比較して照射
面積の狭いＬＥＤ６０１を用いた場合にも、部品ごとの寸法のばらつきや組み立てられた
部品間の寸法のばらつき、あるいは原稿の読み取りに際して各部を駆動することによる部
品間の寸法のばらつき（バックラッシなど）などの各種の機械的な寸法精度のばらつきに
左右されることなく、読み取り精度の向上を図ることができる。
【００７６】
また、実施の形態１のスキャナ装置１００によれば、ＬＥＤ６０１を用いることによっ
て、ＬＥＤ６０１に代えて蛍光管を用いた場合と比較して、原稿の読み取りを迅速に開始
するとともに、照射光量の安定化による読み取り精度の向上を図ることができる。そして
、これによって利用者は、原稿の画像を高精度に再現した画像データを得ることができる
。
【００７７】
また、実施の形態１のスキャナ装置１００においては、ＬＥＤ６０１を用いることによ
って、ＬＥＤ６０１に代えて蛍光管を用いた場合と比較して、透過用光源部３２１の小型
化を図るとともに消費電力を抑えることができる。そして、これによって利用者は、ラン
ニングコストの低い小型のスキャナ装置１００を用いて、原稿の画像を高精度に再現した
画像データを得ることができる。
【００７８】
また、実施の形態１のスキャナ装置１００によれば、導光板６０２に対して撮像素子側
に設けられたプリズムシート６０３および拡散シート６０４を順次介して、ＬＥＤ６０１
によって発光された光を撮像素子２１７へ照射することにより、透過用光源部３２１の大
型化を抑え、スキャナ装置１００の小型化および読み取り精度の向上を図ることができる
。そして、これによって利用者は、小型のスキャナ装置１００を用いて、原稿の画像を高
精度に再現した画像データを得ることができる。
【００７９】
また、実施の形態１のスキャナ装置１００によれば、透過用光源部３２１が備える反射
板６０５によって、ＬＥＤ６０１によって発光された光を撮像素子２１７側に効率よく照
射し、スキャナ装置１００の小型化に加えて、発光輝度の向上による読み取り精度の向上
を図ることができる。そして、これによって利用者は、小型のスキャナ装置１００を用い
て、原稿の画像を高精度に再現した画像データを得ることができる。
【００８０】
また、実施の形態１のスキャナ装置１００によれば、撮像素子２１７と透過用光源部３
２１とを連動させて、撮像素子２１７と透過用光源部３２１との位置関係を一定に維持し
た状態で原稿を読み取ることで、読み取り精度の一層の向上を図ることができる。そして
、これによって利用者は、原稿の画像を一層高精度に再現した画像データを得ることがで
きる。
【００８１】
また、実施の形態１のスキャナ装置１００によれば、透過用光源部３２１に一体化され
た固定部３２２によって透過用光源部３２１を駆動ベルト２３３に締結することでスキャ
ナ装置１００の大型化を抑えつつ、透過用光源部３２１の往復移動をガイドレール３２３
によって案内することで、透過用光源部３２１を所定方向に沿って安定して往復移動させ
ることができる。
【００８２】
これによってスキャナ装置１００は、スキャナ装置１００の大型化を抑えつつ、読み取
り精度の一層の向上を図ることができる。そして、これによって利用者は、大型化を抑え
たスキャナ装置１００を用いて、原稿の画像を一層高精度に再現した画像データを得るこ
とができる。
【００８３】
また、実施の形態１のスキャナ装置１００によれば、透過用光源部３２１および撮像素
子２１７を、単一のモータ２２２の駆動力を用いて連動させることができる。これによっ
てスキャナ装置１００は、移動に際して、透過用光源部３２１および撮像素子２１７の副
走査方向における相対的な位置にずれが生じることによる原稿の読み取り精度の低下を防
止するとともに、動力伝達機構の小型化およびスキャナ装置１００における消費電力の低
減を図ることができる。
【００８４】
そして、この発明のスキャナ装置１００によって、利用者は、消費電力を抑制した小型
のスキャナ装置１００を使用して、原稿の画像を高精度に再現した画像データを得ること
ができる。
【００８５】
ところで、単一のモータ２２２を用いることによって透過用光源部３２１および撮像素
子２１７を同期して移動させることができるが、単一のモータ２２２を用いることおよび
透過用光源部３２１がＴＰＵユニット１２０に設けられていることによって、透過用光源
部３２１と撮像素子２１７との副走査方向における相対的な位置が原稿の読み取りに適し
た位置からずれてしまうことが想定される。
【００８６】
具体的に、透過用光源部３２１と撮像素子２１７との副走査方向における相対的な位置
のずれ（以下、「位相ずれ」という）は、たとえば、ＴＰＵユニット１２０が本体ユニッ
ト１１０から離反した状態で、撮像素子２１７のみが移動した場合に発生する。位相ずれ
が発生した場合、透過用光源部３２１と撮像素子２１７との副走査方向における相対的な
位置関係が、原稿の読み取りに適した位置関係になるように補正する、いわゆる位相合わ
せをおこなうこととなる。
【００８７】
位相合わせに際しては、ホームポジションに設けられた度当て部材に度当たる位置にス
キャナキャリッジ２２０を移動させ、スキャナキャリッジ２２０が度当て部材に度当たっ
た状態で透過用光源部３２１が所定の位置範囲内に存在するか否かを、所定のセンサ（図
示省略）によって検出し、透過用光源部３２１が所定の位置範囲内に存在する状態を位相
合わせが完了した状態とする。
【００８８】
実施の形態１のスキャナ装置１００によれば、透過用光源部３２１によってフィルムを
照射する面積を導光板６０２の発光面の面積に相当する照射面積とすることができるため
、透過用光源部３２１が存在するか否かを判断する所定の位置範囲を広く確保することが
でき、位相ずれを生じにくくすることができる。これによって、スキャナ装置１００は、
位相合わせをおこなう頻度を抑えることができるので、フィルムの読み取り動作に要する
時間の短縮や、位相合わせをおこなうことによる電力消費の低減などを図ることができる
。
【００８９】
なお、実施の形態１では、撮像素子移動機構２２３から透過用光源部３２１の移動に関
わる各部に対して所定の大きさ以上のトルクが伝達された場合に、トルクリミッタ３１６
が有するトルクリミッタ機能によって所定の大きさ以上のトルクを遮断するようにしたが
、これに限るものではない。
【００９０】
図示を省略するが、たとえば、ギア３１１，３１４に代えて、一対の磁性体を設け、こ
の磁性体間に作用する磁力を調整することによって、所定の大きさ以上のトルクが伝達さ
れた場合には磁性体間ですべりを生じさせることでトルクリミッタ機能を実現するように
してもよい。
【００９１】
また、図示を省略するが、たとえば、磁性体３１０および磁性体３１３に代えて、一対
のギアを設け、撮像素子移動機構２３２から透過用光源部３２１の移動に関わる各部に対
して所定値以上のトルクが伝達された場合には、一対のギアのいずれか一方を空転させる
ことでトルクリミッタ機能を実現するようにしてもよい。
【００９２】
（実施の形態２）
つぎに添付図面を参照して、この発明にかかる複合機の好適な実施の形態２を詳細に説
明する。この実施の形態２は、この発明にかかる複合機の実施例を示す。実施の形態２に
おいては、上述した実施の形態１と同一部分は同一符号で示し、説明も省略する。
【００９３】
図７は、実施の形態２にかかる複合機を示す斜視図である。実施の形態２にかかる複合
機７００は、上述した実施の形態１または実施の形態２で説明したスキャナ装置１００と
、スキャナ装置１００が備える撮像素子２１７に入射された光の強弱に応じた画像を被記
録媒体上に形成する画像形成装置としてのプリンタ７０１と、を備えている。
【００９４】
スキャナ装置１００とプリンタ７０１とは、図示しない通信Ｉ／Ｆを介して相互通信可
能に接続されている。スキャナ装置１００は、撮像素子２１７に入射された光の強弱に応
じた画像データをプリンタ７０１へ出力する。
【００９５】
プリンタ７０１は、紙などの被記録媒体に画像を形成するプリンタエンジンを備えてい
る。公知の技術であるため図示および説明を省略するが、プリンタエンジンにおける画像
形成方式は、たとえば、インクジェット方式、静電転写方式、昇華転写方式など、各種の
方式を適用することができる。
【００９６】
このような構成を備える複合機７００において、プリンタ７０１は、スキャナ装置１０
０から出力された画像データに基づいて、紙などの被記録媒体に画像を形成する。
【００９７】
このような複合機７００によれば、スキャナ装置１００における透過用光源部３２１お
よび撮像素子２１７を、単一のモータ２２２の駆動力を用いて連動させることができる。
これによって複合機７００は、消費電力の増加および複合機の大型化を抑えながら、原稿
を精度よく再現した画像を紙などの被記録媒体に形成することができる。また、これによ
って利用者は、消費電力を抑制した小型の複合機７００を使用して、高精度な画像データ
を得ることができる。
【図面の簡単な説明】
【００９８】
【図１】実施の形態１にかかるスキャナ装置の外観を示す斜視図。
【図２】実施の形態１にかかるスキャナ装置１００の縦断正面図。
【図３】スキャナ装置を一部断面して示す斜視図。
【図４】連結機構を拡大して示す斜視図（その１）。
【図５】連結機構を拡大して示す斜視図（その２）。
【図６】透過用光源部を示す分解斜視図。
【図７】実施の形態２にかかる複合機を示す斜視図。
【符号の説明】
【００９９】
１００  スキャナ装置、２１７  撮像素子、２２３  撮像素子移動機構、３２１  透過
用光源部、３２２  固定部、３２３  ガイドレール、６０１  ＬＥＤ、６０２  導光板、
６０３  プリズムシート、６０４  拡散シート、６０７  反射板、７００  複合機、７０
１  画像形成装置
【図１】
2007318409.tif 000003
【図２】
2007318409.tif 000004
【図３】
2007318409.tif 000005
【図４】
2007318409.tif 000006
【図５】
2007318409.tif 000007
【図６】
2007318409.tif 000008
【図７】
2007318409.tif 000009